(57)【要約】【課題】物品の偽造品を識別する技術を提供する。【解決手段】物品１は、貴金属２０の一部または全面に、光学的識別媒体１０を箔の形態で転写した。この物品１では、転写可能な光学的識別媒体１０の偽造は困難であり、偽造が極めて難しくなる。また、従来からあったケースからの貴金属の抜き取りを防止する技術も、ケースそのものが偽造されてしまう恐れがあったが、貴金属２０に直接光学的識別媒体１０が付与されることにより、貴金属２０の偽造が困難となる。【選択図】図２
0003148369.tif 000002
【実用新案登録請求の範囲】
【請求項１】
貴金属の一部または全面に、光学的識別媒体を箔の形態で転写したことを特徴とする物品。
【請求項２】
前記光学的識別媒体は、前記貴金属に熱転写されていることを特徴とする請求項１に記載の物品。
【請求項３】
前記光学的識別媒体は、箔押し加工により前記貴金属に転写されていることを特徴とする請求項１または２に記載の物品。
【請求項４】
前記貴金属の表面に凹みを設け、
前記光学的識別媒体は、前記凹みとの間に隙間がないように前記凹みに転写されていることを特徴とする請求項１〜３のいずれか一項に記載の物品。
【請求項５】
前記凹みの深さは、前記光学的識別媒体の厚み以上の深さであることを特徴とする請求項４に記載の物品。  
【請求項６】
前記貴金属の表面に平坦部分および凸部分を設け、
前記光学的識別媒体は、前記平坦部分と前記凸部分とを含む前記貴金属の表面に転写されていることを特徴とする請求項１〜３のいずれか一項に記載の物品。
【請求項７】
凹部を有し、前記凹部に前記貴金属を収納して保持する保持部材を備え、
前記光学的識別媒体は、前記保持部材に保持される前記貴金属と前記保持部材とにまたがって転写されていることを特徴とする請求項１〜３のいずれか一項に記載の物品。
【請求項８】
前記光学的識別媒体は、右回りまたは左回り円偏光を選択的に反射するコレステリック液晶層を備えることを特徴とする請求項１〜７のいずれか一項に記載の物品。
【請求項９】
右回り円偏光を透過する右円偏光フィルタと、
左回り円偏光を透過する左円偏光フィルタとを備え、
請求項８に記載の光学的識別媒体の真贋を識別することを特徴とする識別器具。
【請求項１０】
箱状に形成されており、請求項１〜８のいずれか一項に記載の物品を収納し、収納された前記物品を確認する部分が偏光特性を持たない部材により構成されていることを特徴とするケース。
【考案の詳細な説明】
【技術分野】
【０００１】
本考案は、真正性（真贋性）を識別するための光学的識別媒体を備える物品、真正性（真贋性）を識別するための識別器具および物品を収納するケースに関するものである。
【背景技術】
【０００２】
従来、ケースに収納される貴金属は、ケースから取り出さなくても貴金属が真正品であることがわかるように透明なケースに収納されて、ケースに収納されたまま流通していた。ケースに収納された貴金属が流通過程で偽造品とすり替えられないように、従来からケースにはさまざまな工夫がされてきた（例えば、特許文献１または２参照）。
【０００３】
例えば、特許文献１では、ケースの内側に貴金属を保持する貴金属保持板を設けている。このような構造の貴金属保持板から貴金属を取り外そうとすると、貴金属保持板が破損して、貴金属保持板が再使用されるのを防止する。また、特許文献２では、貴金属がケースの内部でホログラムシールにより封止されている。このような構造のケースから貴金属を取り外そうとすると、ホログラムシールが破損して、ホログラムシールが再使用されるのを防止する。これらの技術は、貴金属の入れ替えを抑止する方法としては有効であった。
【特許文献１】実開平７−１９８１号公報
【特許文献２】特開平６−３２３７０号公報
【考案の開示】
【考案が解決しようとする課題】
【０００４】
しかしながら、偽造技術は進歩しており、貴金属保持板を成形するための型を製造して貴金属保持板を偽造される場合がある。また、ホログラムも外観を模したものは容易に偽造される場合がある。つまり、貴金属を入れ替えるのではなく、ケースごと偽造した場合には、従来からある貴金属の抜き取りを抑止する方法では偽造を十分に防ぐことはできない。
【０００５】
そこで本考案は、上記に鑑みてなされたものであって、物品の偽造品を識別する技術を提供することを目的とする。
【課題を解決するための手段】
【０００６】
本考案の物品は、貴金属の一部または全面に、光学的識別媒体を箔の形態で転写したことを特徴とする。
【０００７】
本考案によれば、転写可能な光学的識別媒体の偽造は困難であり、偽造が極めて難しくなる。また、従来からあったケースからの貴金属の抜き取りを防止する技術も、ケースそのものが偽造されてしまう恐れがあったが、貴金属に直接光学的識別媒体が付与されることにより、貴金属の偽造が困難となる。
【０００８】
本考案において、前記光学的識別媒体は、前記貴金属に熱転写されていることが望ましい。この態様によれば、光学的識別媒体全体の厚みがより薄くなり、光学的識別媒体を貴金属から剥がすことが困難となる。その結果、貴金属が他の物品に入れ替えられるなどの物品の偽造を防止することができる。
【０００９】
本考案において、前記光学的識別媒体は、箔押し加工により前記貴金属に転写されていることが望ましい。この態様によれば、箔押し加工の生産設備は普及しており、専用の生産設備を用意する必要性があまりない。その結果、物品の製造コストを低減することができる。
【００１０】
本考案において、前記貴金属の表面に凹みを設け、前記光学的識別媒体は、前記凹みとの間に隙間がないように前記凹みに転写されていることが望ましい。この態様によれば、光学的識別媒体を貴金属の表面に設けたとしても、光学的識別媒体を貴金属から剥離するための引っ掛かる部分が減少する。その結果、光学的識別媒体を貴金属から剥がすことが困難となり、貴金属が他の物品に入れ替えられるなどの物品の偽造を防止することができる。
【００１１】
本考案において、前記凹みの深さは、前記光学的識別媒体の厚み以上の深さであることが望ましい。この態様によれば、光学的識別媒体を貴金属の表面に設けたとしても、光学的識別媒体が凹みから突出しないため、光学的識別媒体を貴金属から剥離するための引っ掛かる部分ができない。その結果、光学的識別媒体を貴金属から剥がすことが困難となり、貴金属が他の物品に入れ替えられるなどの物品の偽造を防止することができる。
【００１２】
本考案において、前記貴金属の表面に平坦部分および凸部分を設け、前記光学的識別媒体は、前記平坦部分と前記凸部分とを含む前記貴金属の表面に転写されていることが望ましい。この態様によれば、光学的識別媒体がシールの形態である場合に比べて、光学的識別媒体が平坦部分と凸部分とに沿うように転写されているので、光学的識別媒体と貴金属との隙間を小さくすることができる。また、光学的識別媒体が転写される際に、光学的識別媒体が延びてさらに破損しやすくなる。その結果、光学的識別媒体を貴金属から剥離することが困難となり、光学的識別媒体が再利用されるのを防止することができる。
【００１３】
本考案において、凹部を有し、前記凹部に前記貴金属を収納して保持する保持部材を備え、前記光学的識別媒体は、前記保持部材に保持される前記貴金属と前記保持部材とにまたがって転写されていることが望ましい。この態様によれば、貴金属を抜き取ろうとすると、光学的識別媒体が切れてしまう。その結果、貴金属が他の物品に入れ替えられるなどの偽造を防止することができる。
【００１４】
本考案において、前記光学的識別媒体は、右回りまたは左回り円偏光を選択的に反射するコレステリック液晶層を備えることが望ましい。この態様によれば、光学的識別媒体を偽造することが困難となる。また、物品の真偽を識別することが容易となる。その結果、光学的識別媒体を備えた物品の偽造が困難となる。
【００１５】
本考案の識別器具は、右回り円偏光を透過する右円偏光フィルタと、左回り円偏光を透過する左円偏光フィルタとを備え、請求項８に記載の光学的識別媒体の真贋を識別することを特徴とする。
【００１６】
本考案によれば、例えば、右回り円偏光を反射するコレステリック液晶層を識別器具の右円偏光フィルタを介して視認した場合、コレステリック液晶層からの反射光のみが視認される。すなわち、光学的識別媒体の表面から入射した入射光のうちの右回り円偏光は、コレステリック液晶層により反射され、右円偏光フィルタを透過する。このため、識別器具を介さずに物品を観察する場合に比べてより鮮明に、コレステリック液晶層の色彩（例えば緑）が視認できる。さらに、この場合も視野角を変化させると、コレステリック液晶層のカラーシフトによりコレステリック液晶層の色彩が変化して視認できる。また、識別器具の左円偏光フィルタを介して視認した場合、コレステリック液晶層からの反射光は視認されない。すなわち、光学的識別媒体の表面から入射した入射光のうちの右回り円偏光は、コレステリック液晶層により反射され、左円偏光フィルタにより遮断される。このため、左円偏光フィルタを介して観察した場合、コレステリック液晶層からの反射光は視認されず、見えなくなる。なお、下層に着色層を設けた場合は、その着色層の色のみが見える。その結果、識別器具を介さずに物品を視認した場合に比べて、特異な見え方となり、物品の真贋判定を容易に行うことができる。
【００１７】
本考案のケースは、箱状に形成されており、請求項１〜８のいずれか一項に記載の物品を収納し、収納された前記物品を確認する部分が偏光特性を持たない部材により構成されていることを特徴とする。
【００１８】
本考案によれば、ケースに収納された貴金属をケースから取り出さずに真贋を判別することができる。その結果、従来の貴金属を収納するケースに用いられてきた貴金属の抜き取りを防止する技術を併用することができる。
【考案の効果】
【００１９】
本考案によれば、物品の偽造品を識別することができる。
【考案を実施するための最良の形態】
【００２０】
（１）第1の実施形態
以下、本考案の一実施形態について図面を参照して説明する。図１は、コレステリック液晶層の構造を概念的に示す概念図である。図２は、物品を示す図である。図３は、物品を示す図２におけるＸ−Ｘ断面図である。
【００２１】
（コレステリック液晶について）
まず、コレステリック液晶層について簡単に説明する。コレステリック液晶層は、図１に示すように、層状構造を有している。そして、一つの層に着目した場合、層中において液晶分子の分子長軸はその向きが揃っており、かつ層の面に平行に配向している。そして配向の方向は、隣接する層において少しずつずれており、全体としては立体的なスパイラル状に配向が回転しつつ各層が積み重なった構造を有している。
【００２２】
この構造において、層に垂直な方向で考えて、分子長軸が３６０°回転して元に戻るまでの距離をピッチＰ、各層内の平均屈折率をｎとする。この場合、コレステリック液晶層は、λｓ＝ｎ×Ｐを満たす、中心波長λｓの円偏光を選択的に反射する性質を示す。すなわち、白色光をコレステリック液晶層に入射させると、特定の波長を中心波長とする右回りまたは左回り円偏光を選択的に反射する。この場合、反射した円偏光と同じ旋回方向を有するが波長がλｓでない円偏光、反射した円偏光と逆旋回方向の円偏光、さらに直線偏光の成分は、コレステリック液晶層を透過する。
【００２３】
反射する円偏光の旋回方向（回転方向）は、コレステリック液晶層のスパイラル方向を選択することで決めることができる。つまり、光の入射方向から見て、右ネジの向きに螺旋を描いて各層における分子長軸が配向しているか、左ネジの向きに螺旋を描いて各層における分子長軸が配向しているか、を選択することで、反射する円偏光の旋回方向（回転方向）を決めることができる。
【００２４】
またコレステリック液晶層は、カラーシフトと呼ばれる現象を示す。以下、カラーシフトの原理を説明する。隣接する層で屈折率が異なる光透過性の多層薄膜に斜めから光が入射すると、その光は、多層構造の各界面において反射される。この反射は、上下に隣接する光透過性の層の屈折率が異なることに起因する。また、１層の界面を見た場合、反射されるのは、入射光の一部であり、入射光の大部分は透過する。つまり、多層に積層された界面に入射した入射光は、各界面において少しずつ反射されてゆく。この各界面で発生した反射光は、基本的に同じ方向に反射するので、それらは光路差に起因する干渉を起こす。
【００２５】
入射光がより面に平行に近い方向から入射する程、光路差は小さくなるので、より短波長の光が干渉し、強め合うことになる。この原理から、視野角を大きくしていった場合に、より短波長の反射光同士が干渉し、強め合うことになる。この結果、白色光下で多層薄膜を見た場合に、視野角０°で多層薄膜が所定の色合いに見えたものが、視野角を大きくしてゆくに従い、徐々に青みがかった色に見た目の色彩が変化する現象が観察される。この現象をカラーシフトという。なお、視野角は、層への垂線と視線とのなす角度として定義される。
【００２６】
（物品の構成）
物品１は、図２，図３に示すように、光学的識別媒体１０と、貴金属２０とを備えている。光学的識別媒体１０は、貴金属２０の表面に設けられている。光学的識別媒体１０は、光学的識別媒体がシールの形態である場合に比べて、柔軟性を有する。光学的識別媒体１０は、箔の形態である。つまり、光学的識別媒体１０は、光学的識別媒体がシールの形態である場合に比べて、薄く形成されている。光学的識別媒体１０は、例えば１０μｍ程度の厚さに形成されている。そのため、光学的識別媒体１０を貴金属２０から剥離するための引っ掛かる部分が減少する。また、光学的識別媒体１０を貴金属２０から剥離しようとすると、光学的識別媒体１０が破損する。その結果、光学的識別媒体１０を貴金属２０から剥離することが困難となり、物品１の偽造が困難となる。
【００２７】
光学的識別媒体１０は、図３に示すように、表面保護層１１０と、コレステリック液晶層１２０と、接着層１３０とを備えている。光学的識別媒体１０は、光学的識別媒体１０が転写された貴金属２０の真贋を判別するための媒体である。光学的識別媒体１０ではコレステリック液晶層１２０を備えているため、光学的識別媒体１０を偽造することが困難となる。また、物品１の真偽を識別することが容易となる。その結果、光学的識別媒体１０を備えた物品１の偽造が困難となる。
【００２８】
表面保護層１１０は、光学的識別媒体１０が貴金属２０に転写されている状態において光学的識別媒体１０の表面に位置する層である。表面保護層１１０は、コレステリック液晶層１２０を保護する。
【００２９】
コレステリック液晶層１２０は、表面保護層１１０に隣接して積層されている。コレステリック液晶層１２０は、特定の右回りまたは左回り円偏光を選択的に反射し、直線偏光などのその他の偏光を透過する。コレステリック液晶層１２０には、ホログラム形成部１２１が設けられている。ホログラム形成部１２１は、コレステリック液晶層１２０の接着層１３０側に設けられている。ホログラム形成部１２１は、コレステリック液晶層１２０にホログラムを形成するための型を押し付け、エンボス模様や凹凸を形成することで形成されている。なお、ホログラム形成部１２１をコレステリック液晶層１２０の接着層１３０側に設ける場合に限らず、コレステリック液晶層１２０の表面保護層１１０側に設けてもよい。
【００３０】
接着層１３０は、コレステリック液晶層１２０に隣接して積層されている。接着層１３０は、光学的識別媒体１０を貴金属２０に貼り付けるための接着機能を有する。接着層１３０は、感熱ホットメルト剤を塗布したものである。感熱ホットメルトは、所定の熱を加えると溶融し、接着機能を発現する接着材料である。なお、接着層１３０としては、その他の接着材料を利用してもよい。
【００３１】
接着層１３０は、光透過性を有する。つまり、接着層１３０は透明である。なお、接着層１３０が透明である場合に限らず、接着層が可視光帯域の光を吸収する光吸収層を兼ねた構造を採用してもよい。例えば、カーボンブラック等の可視光を吸収する材料の粉末を混ぜた接着剤を塗布して、接着層と光吸収層とを兼ねた構造を形成してもよい。
【００３２】
貴金属２０は、板状に形成されている。貴金属２０は、例えば、厚みが０．３ｍｍ程度に形成されている。貴金属２０としては、例えば金、銀やプラチナなどの金属を、プレート、バーやメダルなどの形状に形成したものを挙げることができる。
【００３３】
なお、コレステリック液晶層１２０を備える光学的識別媒体１０に限らず、屈折率の異なる光透過性フィルムを多層に積層した多層薄膜層を備える光学的識別媒体でもよい。多層薄膜層は、積層された各層の各界面からの反射光が干渉することにより、コレステリック液晶層１２０のカラーシフトと同じようなカラーシフトを観察することができる。ただし、この場合は円偏光フィルタによる判別はできない。
【００３４】
ここで、光学的識別媒体がシールの形態について説明する。シールの形態の光学的識別媒体は、ＴＡＣ（トリアセチルセルロース）などの材料により形成される表面保護層と、保護層に積層されるコレステリック液晶層と、コレステリック液晶層に積層される接着層とを備えている。つまり、箔の形態とシールの形態との違いは、表面保護層の違いである。この表面保護層の違いにより、箔の形態では、シールの形態に比べて、厚みが薄く、柔軟性および脆性を有する。
【００３５】
（物品の製造方法）
次に、物品１の製造方法について図面を参照して説明する。図４は、積層体を示す断面図である。図５は、ローラ転写方式の製造方法を示す図である。
【００３６】
物品１は、転写装置５０により箔押し加工の一例であるローラ転写方式の製造方法で製造される。ここで転写装置５０は、図５に示すように、ローラ５１と、加圧ローラ５２とを備えている。ローラ５１は、積層体４０を回転自在に支持し、光学的識別媒体１０が貴金属２０に転写された後の基材４０を巻き取る。加圧ローラ５２は、表面がゴムなどの弾性部材により構成されている。加圧ローラ５２は、図５の矢印Ａ方向に移動して、積層体４０を貴金属２０に、熱を加えつつ押し付ける。転写装置５０は、貴金属２０に光学的識別媒体１０を熱転写する。
【００３７】
箔押し加工により物品１が製造されるため、箔押し加工の生産設備は普及しており、専用の生産設備を用意する必要性があまりない。その結果、物品１の製造コストを低減することができる。
【００３８】
物品１の製造方法としては、まず、図４に示すように、光学的識別媒体１０を有する積層体４０が形成される。この積層体４０は、基材３０上に表面保護層１１０が積層され、次いで表面保護層１１０上にホログラム形成部１２１を有するコレステリック液晶層１２０が積層され、次いでコレステリック液晶層１２０上に接着層１３０が積層されて形成される。積層体４０は、例えば５ｍｍ×１００ｍというような帯状のものとして形成され、ローラ状に巻かれる。
【００３９】
次いで、図５に示すように、ローラ状に巻かれた積層体４０がローラ転写方式の転写装置５０にセットされる。次いで、加圧ローラ５２により積層体４０が貴金属２０に熱を加えつつ押し付けられる。積層体４０が加圧ローラ５２に押し付けられた際、接着層１３０が溶融して、光学的識別媒体１０が貴金属２０に接着する。これにより、光学的識別媒体１０が基材４０から剥離して、光学的識別媒体１０が貴金属２０に転写される。次いで、ローラ５１により光学的識別媒体１０が剥離した基材４０を巻き取る。なお、接着剤をあらかじめ貴金属２０に塗布して、光学的識別媒体１０を貴金属２０に接着してもよい。
【００４０】
光学的識別媒体１０を貴金属２０に熱転写した場合には、接着剤をあらかじめ貴金属２０に塗布して光学的識別媒体１０を貴金属２０に接着する場合に比べて、接着層１３０の厚みを薄くすることができる。そのため、光学的識別媒体１全体の厚みがより薄くなり、光学的識別媒体１０を貴金属２０から剥がすことが困難となる。その結果、貴金属１０が他の物品に入れ替えられるなどの物品１の偽造を防止することができる。
【００４１】
（物品の識別方法）
次に、物品１の識別方法について図面を参照して説明する。図６は、識別器具を示す断面図である。ここでは、物品１を、識別するための識別器具２００を介さずに目視により視認した場合と、識別器具２００を介して視認した場合の例を説明する。なお、コレステリック液晶層１２０は、右回り円偏光を反射するものとして説明する。
【００４２】
ここで、識別器具２００について説明する。識別器具２００は、図６に示すように、右回り円偏光を透過する右円偏光フィルタ２１０と、左回り円偏光を透過する左円偏光フィルタ２２０とを備えている。識別器具２００は、カード状に形成されているため、持ち運ぶことが可能である。
【００４３】
まず、識別器具２００を介さずに物品１を観察する場合を説明する。この場合、コレステリック液晶層１２０からの反射光が視認される。すなわち、光学的識別媒体１０の表面から入射した入射光のうちの右回り円偏光は、コレステリック液晶層１２０により反射され、それが観察される。また、コレステリック液晶層１２０が示すカラーシフトが観察される。
【００４４】
次に、識別器具２００の右円偏光フィルタ２１０を介して視認した場合を説明する。この場合、コレステリック液晶層１２０からの反射光のみが視認される。すなわち、光学的識別媒体１０の表面から入射した入射光のうちの右回り円偏光は、コレステリック液晶層１２０により反射され、右円偏光フィルタ２１０を透過する。このため、識別器具２００を介さずに物品１を観察する場合に比べてより鮮明に、ホログラム形成部１２１のホログラム図柄（例えば黒い点）およびコレステリック液晶層１２０の色彩（例えば緑）が視認できる。さらに、この場合も視野角を変化させると、コレステリック液晶層１２０のカラーシフトによりコレステリック液晶層１２０の色彩が変化して視認できる。
【００４５】
次に、識別器具２００の左円偏光フィルタ２２０を介して視認した場合を説明する。この場合、コレステリック液晶層１２０からの反射光は視認されない。すなわち、光学的識別媒体１０の表面から入射した入射光のうちの右回り円偏光は、コレステリック液晶層１２０により反射され、左円偏光フィルタ２２０により遮断される。このため、左円偏光フィルタ２２０を介して表面から観察した場合、コレステリック液晶層１２０に形成されたホログラム形成部１２１のホログラム図柄は視認されず、見えなくなる。なお、下層に着色層を設けた場合は、その着色層の色のみが見える。
【００４６】
上述するように識別器具２００を介して物品１を視認した場合には、識別器具２００を介さずに物品１を視認した場合に比べて、特異な見え方となり、物品１の真贋判定を容易に行うことができる。
【００４７】
（２）第２の実施形態
第２の実施形態は、上記第１の実施形態を変更したものである。したがって、主に変更部分について説明し、第１の実施形態と同様な構成および作用の説明は省略する。図７は、第２の実施形態にかかる物品を示す図である。図８は、物品を示す図７におけるＹ−Ｙ断面図である。
【００４８】
（物品の構成）
物品２は、図７，図８に示すように、光学的識別媒体１０と、貴金属６０とを備えている。貴金属６０の表面には、凹み６１が設けられている。凹み６１は、四方が囲まれるように形成されている。凹み６１の深さは、図８に示すように、光学的識別媒体１０の厚み以上の深さになるように形成されている。
【００４９】
光学的識別媒体１０は、光学的識別媒体１０と窪み６１との間にわずかな隙間（１ｍｍ以内）で貴金属６０の凹み６１に転写されている。そのため、光学的識別媒体１０を貴金属６０の表面に設けたとしても、光学的識別媒体１０が凹み６１から突出しないため、光学的識別媒体１０を貴金属６０から剥離するための引っ掛かる部分ができない。その結果、光学的識別媒体１０を貴金属６０から剥がすことが困難となり、貴金属６０が他の物品に入れ替えられるなどの物品２の偽造を防止することができる。
【００５０】
（物品の製造方法）
次に、物品２の製造方法について図面を参照して説明する。図９は、アップダウン方式の製造方法を示す図である。
【００５１】
物品２は、転写装置７０により箔押し加工の一例であるアップダウン方式の製造方法で製造される。ここで転写装置７０は、図９に示すように、ローラ７１と、加圧部材７２とを備えている。ローラ７１は、積層体４０を回転自在に支持し、光学的識別媒体１０が貴金属６０に転写された後の基材４０を巻き取る。加圧部材７２は、押し付ける部分がゴムなどの弾性部材により構成されている。加圧部材７２は、図９の矢印Ｂ方向に移動して、積層体４０を貴金属６０に、熱を加えつつ押し付ける。転写装置５０は、貴金属６０の凹み６１に光学的識別媒体１０を熱転写する。
【００５２】
（３）第３の実施形態
第３の実施形態は、上記第１の実施形態を変更したものである。したがって、主に変更部分について説明し、第１の実施形態と同様な構成および作用の説明は省略する。図１０は、第３の実施形態にかかる物品を示す図である。図１１は、物品の一部を示す断面図である。
【００５３】
（物品の構成）
物品３は、図１０に示すように、光学的識別媒体１０と、貴金属８０とを備えている。貴金属８０の表面には、平坦部分８１と、凸部分８２とが設けられている。平坦部分８１は、平坦な部分である。凸部分８２は、平坦部分８１から突出した部分である。凸部分８２は、「ＧＥＮＵＩＮＥ」という文字部分である。
【００５４】
光学的識別媒体１０は、平坦部分８１と凸部分８２とを含む貴金属８０の表面に転写されている。そのため、光学的識別媒体がシールの形態である場合に比べて、図１１に示すように、光学的識別媒体１０が平坦部分８１と凸部分８２とに沿うように転写されているので、光学的識別媒体１０と貴金属８０との隙間を小さくすることができる。例えば、光学的識別媒体がシールの形態である場合には、平坦部分８１と凸部分８２とを含む貴金属８０の表面に光学的識別媒体を貼ろうとしたとき、光学的識別媒体は柔軟性が少ないので、光学的識別媒体と貴金属８０との隙間が大きくなる。また、光学的識別媒体１０が転写される際に、光学的識別媒体１０が延びてさらに破損しやすくなる。その結果、光学的識別媒体１０を貴金属８０から剥離することが困難となり、光学的識別媒体１０が再利用されるのを防止することができる。
【００５５】
（４）第４の実施形態
第４の実施形態は、上記第１の実施形態を変更したものである。したがって、主に変更部分について説明し、第１の実施形態と同様な構成および作用の説明は省略する。図１２は、第４の実施形態にかかる物品を示す図である。
【００５６】
（物品の構成）
物品４は、図１２に示すように、光学的識別媒体１０と、貴金属２０と、ケース９０とを備えている。ケース９０は、箱状に形成されている。ケース９０は、下蓋９１と、上蓋９２とを備えている。ケース９０は、下蓋９１と上蓋９１とを組み合わせることにより箱状となる。下蓋９１には、凹部９１ａが設けられている。下蓋９１ａは、凹部９１ａに貴金属２０を収納して保持する保持部材としても機能する。凹部９１ａは、貴金属２０の形状と同じような形状に形成されている。つまり、凹部９１ａに貴金属２０を収納すると、貴金属２０の表面と下蓋９１の内側の表面とが平坦となる。
【００５７】
光学的識別媒体１０は、下蓋９１に保持される貴金属２０と下蓋９１とにまたがって転写されている。そのため、貴金属２０を抜き取ろうとすると、光学的識別媒体１０が切れてしまう。その結果、貴金属２０が他の物品に入れ替えられるなどの偽造を防止することができる。
【００５８】
ケース９０は、収納された貴金属２０を確認する部分が薄くなるように形成されている。具体的には、ケース９０の上蓋９２の厚みが１．０ｍｍ程度以下になるように形成されている。ケース９０は、収納された貴金属２０を確認する部分が偏光特性を持たない部材により構成されている。具体的には、ケース９０の上蓋９２が偏光特性を持たない部材により構成されている。偏光特性を持たない部材としては、アクリル樹脂、ＡＢＳ樹脂やポリカーボネートなどを挙げることができる。そのため、ケース９０に収納された貴金属２０をケース９０から取り出さずに真贋を判別することができる。その結果、従来の貴金属を収納するケースに用いられてきた貴金属の抜き取りを防止する技術を併用することができる。
【００５９】
なお、貴金属２０を収納して保持する保持部材がケース９０である場合に限らず、ケース９０とは別に貴金属２０を収納して保持する保持部材を備える実施形態としてもよい。
【産業上の利用可能性】
【００６０】
本考案は、真贋判定に利用される光学的識別媒体を備えた物品に利用することができる。
【図面の簡単な説明】
【００６１】
【図１】コレステリック液晶層の構造を概念的に示す概念図である。
【図２】物品を示す図である。
【図３】物品を示す図２におけるＸ−Ｘ断面図である。
【図４】積層体を示す断面図である。
【図５】ローラ転写方式の製造方法を示す図である。
【図６】識別器具を示す断面図である。
【図７】第２の実施形態にかかる物品を示す図である。
【図８】物品を示す図７におけるＹ−Ｙ断面図である。
【図９】アップダウン方式の製造方法を示す図である。
【図１０】第３の実施形態にかかる物品を示す図である。
【図１１】物品の一部を示す断面図である。
【図１２】第４の実施形態にかかる物品を示す図である。
【符号の説明】
【００６２】
１…物品、１０…光学的識別媒体、２０…貴金属、６１…凹み、８１…平坦部分、８２…凸部分、９０…ケース、９１…下蓋、９１ａ…凹部、１２０…コレステリック液晶層、２００…識別器具、２１０…右円偏光フィルタ、２２０…左円偏光フィルタ。
【図１】
0003148369.tif 000003
【図２】
0003148369.tif 000004
【図３】
0003148369.tif 000005
【図４】
0003148369.tif 000006
【図５】
0003148369.tif 000007
【図６】
0003148369.tif 000008
【図７】
0003148369.tif 000009
【図８】
0003148369.tif 000010
【図９】
0003148369.tif 000011
【図１０】
0003148369.tif 000012
【図１１】
0003148369.tif 000013
【図１２】
0003148369.tif 000014